(57)【要約】【課題】太陽光や風力などの自然エネルギーを利用した独立電源照明装置において、照明灯として白熱灯、蛍光灯、水銀灯等が用いられているため、その寿命は長くはなく、しばしば照明灯を交換しなくてはならず、しかも交換作業が高所作業になるため、ランニングコストやメンテナンスコストが高くなるという課題があった。また照明灯の寿命を勘案して発光ダイオードを用いた照明灯は指向性が高く、このような照明灯を照明に用いても照明灯の真下の限られた狭い範囲しか照明することができないという課題があった。【解決手段】太陽光パネル１と、風車２と、これらで得られる電力を蓄電する蓄電池３と、この蓄電された電力で点灯する照明装置４を備る。照明装置４の照明灯として無電極蛍光灯５を用いている。【選択図】図１
2007280660.tif 000002
【特許請求の範囲】
【請求項１】
太陽光パネルと、風車と、これら自然エネルギーで得られる電力を蓄電する蓄電池と、この蓄電された電力で点灯する照明装置を備え、前記照明装置の照明灯を、無電極蛍光灯としたことを特徴とする独立電源照明装置。
【請求項２】
前記蓄電池に蓄電されたＤＣ電圧を交流電圧に変換するインバータを備え、変換された交流電圧により無電極蛍光灯を点灯させることを特徴とする請求項１記載の独立電源照明装置。
【請求項３】
金属シールドを無電極蛍光灯と内部搭載電子機器の間に設けたことを特徴とする請求項１または請求項２に記載の独立電源照明装置。
【請求項４】
照明反射板を無電極蛍光灯ランプ部近傍に設けたことを特徴とする請求項１または請求項２に記載の独立電源照明装置。
【請求項５】
照明反射板を金属とすることを特徴とする請求項４に記載の独立電源照明装置。
【請求項６】
熱遮断仕切り板を無電極蛍光灯ランプ部と無電極蛍光灯制御部の境界近傍位置に設けたことを特徴とする請求項１または請求項２に記載の独立電源照明装置。
【請求項７】
熱遮断仕切り板の表面を平面にして照明反射板としたことを特徴とする請求項６に記載の独立電源照明装置。
【発明の詳細な説明】
【技術分野】
【０００１】
本発明は、太陽光と風力の自然エネルギーを利用して発電した電力を蓄電する独立電源装置に関する。
【背景技術】
【０００２】
従来、この種の自然エネルギーを利用した独立電源照明装置は、照明灯として白熱灯、蛍光灯、水銀灯等が用いられている（例えば、特許文献１参照）。また照明灯の寿命を勘案して発光ダイオードを用いた照明灯もある（例えば、特許文献２参照）。以下、その独立電源装置について図４を参照しながら説明する。
【０００３】
太陽光パネルを有する太陽光発電手段１０１と、風車の回転軸に発電機を連結した風力発電手段１０２と、前記太陽光発電手段１０１及び前記風力発電手段１０２により発生する電力を蓄電する蓄電手段１０３と、前記蓄電手段に蓄電された電力を用いて点灯する照明手段１０４とを備えている。そして、照明手段１０４としては、一般的に、白熱灯、蛍光灯、水銀灯、発光ダイオード等が用いられている。
【特許文献１】特開２００３−４２０５２号公報
【特許文献２】特開２００３−１００１１１号公報
【発明の開示】
【発明が解決しようとする課題】
【０００４】
このような従来の独立電源照明装置では、照明灯として白熱灯、蛍光灯、水銀灯等が用いられているため、その照明灯の寿命は長くはなく、しばしば照明灯を交換しなくてはならず、しかも交換作業が高所作業になるため、ランニングコストやメンテナンスコストが高くなるという課題があった。
【０００５】
また照明灯の寿命を勘案して発光ダイオードを用いた照明灯は指向性が高く、このような照明灯を照明に用いても照明灯の真下の限られた狭い範囲しか照明することができないという課題があった。
【０００６】
本発明は、このような従来の課題を解決するものであり、照明灯の寿命が長く、蛍光灯と同じ明るさの無電極蛍光灯を搭載することにより、照明灯交換のランニングコストやメンテナンスコストを少なくした明るい照明を提供することを目的としている。
【課題を解決するための手段】
【０００７】
本発明の請求項１に記載の独立電源照明装置は、太陽光パネルと、風車と、これら自然エネルギーで得られる電力を蓄電する蓄電池と、この蓄電された電力で点灯する照明装置を備え、前記照明装置の照明灯を、無電極蛍光灯としたことを特徴とするものである。
【０００８】
また、本発明の請求項２に記載の独立電源照明装置は、請求項１に記載の発明において、蓄電されたＤＣ電圧を交流電圧に変換するインバータを備え、変換された交流電圧により無電極蛍光灯を点灯させることを特徴とするものである。
【０００９】
また、本発明の請求項３に記載の独立電源照明装置は、請求項１または請求項２に記載の発明において、金属シールドを無電極蛍光灯と内部搭載電子機器の間に設けたことを特徴とするものである。
【００１０】
また、本発明の請求項４に記載の独立電源照明装置は、請求項１または請求項２に記載の発明において、照明反射板を無電極蛍光灯ランプ部近傍に設けたことを特徴とするものである。
【００１１】
また、本発明の請求項５に記載の独立電源照明装置は、請求項４に記載の発明において、 照明反射板を金属とすることを特徴とするものである。
【００１２】
また、本発明の請求項６に記載の独立電源照明装置は、請求項１または請求項２に記載の発明において、熱遮断仕切り板を無電極蛍光灯ランプ部と無電極蛍光灯制御部の境界近傍位置に設けたことを特徴とするものである。
【００１３】
また、本発明の請求項７に記載の独立電源照明装置は、請求項６に記載の発明において、熱遮断仕切り板の表面を平面にして照明反射板としたことを特徴とするものである。
【発明の効果】
【００１４】
本発明によれば、長寿命で明るい照明装置を提供できる。
【００１５】
また、照明灯交換のランニングコストやメンテナンスコストを少なくすることができる。
【発明を実施するための最良の形態】
【００１６】
本発明の請求項１記載の発明は、太陽光パネルと、風車と、これら自然エネルギーで得られる電力を蓄電する蓄電池と、この蓄電された電力で点灯する照明装置を備え、前記照明装置の照明灯を、無電極蛍光灯とした独立電源照明装置であり、これにより、長寿命で 明るい照明装置を提供できる。
【００１７】
本発明の請求項２記載の発明は、蓄電池に蓄電されたＤＣ電圧を交流電圧に変換するインバータを備え、交流電圧により無電極蛍光灯を点灯させることを特徴とするものであり、入手の容易な商用１００Ｖで点灯する無電極蛍光灯を使用できる作用を有する。
【００１８】
本発明の請求項３記載の発明は、金属シールドを無電極蛍光灯と内部搭載電子機器の間に設けることにより、無電極蛍光灯から発生するノイズが内部搭載電子機器に影響を及ぼすことを防止できる。
【００１９】
本発明の請求項４記載の発明は、無電極蛍光灯から出る光のうち照明用途方向でない光を反射させて照明用途方向にして無電極蛍光灯から出る光を有効に利用することができる。
【００２０】
本発明の請求項５記載の発明は、照明反射板を金属とすることにより、無電極蛍光灯ランプ部から発生するノイズが内部搭載電子機器に影響を及ぼすことを防止できる。
【００２１】
本発明の請求項６記載の発明は、熱遮断仕切り板を無電極蛍光灯ランプ部と無電極蛍光灯制御部の境界近傍位置に設けることにより、無電極蛍光灯ランプ部の点灯発熱により温度上昇した雰囲気空気が、無電極蛍光灯制御部の雰囲気空気と混ざるのを遮断して無電極蛍光灯制御部が、雰囲気空気により温度上昇するのを防ぐことができる。
【００２２】
本発明の請求項７記載の発明は、熱遮断仕切り板の表面を平面にして反射板にすることにより、無電極蛍光灯から出る光のうち照明用途方向でない光を反射させて照明用途方向にして無電極蛍光灯から出る光を有効に利用することができる。
【００２３】
以下、本発明の実施の形態について図面を参照しながら説明する。
【００２４】
（実施の形態１）
図１は本発明の実施の形態１における独立電源照明装置の全体図である。図１において、本実施の形態の独立電源照明装置は、太陽光パネル１と、風車２と、これらで得られる電力を蓄電する蓄電池３と、この蓄電された電力で点灯する照明装置４が備る。照明装置４内には、照明灯として無電極蛍光灯５を備えている。無電極蛍光灯５を用いることにより、照明灯としての寿命が長く、蛍光灯と同じ明るさが得られ、照明灯交換のランニングコストやメンテナンスコストを少なくすることができる。
【００２５】
無電極蛍光灯は、誘導コイルの電磁誘導により内部のガスを放電させて発光させる無電極放電の原理を用いているため、従来の蛍光灯、水銀灯などのランプ内部の電極に塗布する電極物質の消耗による寿命がない。よって長寿命な光源になる。
【００２６】
寿命は点灯を制御している電子部品の寿命で決まる。
【００２７】
また、蓄電池３に蓄電されたＤＣ電圧をインバータにより商用１００Ｖに変換して無電極蛍光灯５に与えて点灯させことにより、入手の容易な商用１００Ｖで点灯する無電極蛍光灯を使用することができる。
【００２８】
（実施の形態２）
図２は同独立電源照明装置の実施の形態２による照明装置の要部である。図２において、  照明装置４には照明灯として無電極蛍光灯５が取り付けられている。照明装置４の上部に金属シールド６を設ける。前記金属シールド６には内部搭載電子機器７（例えば前記インバータまたは  ＤＣ・ＤＣコンバータ）を上部に取り付けて、無電極蛍光灯５と内部搭載電子機器７の間に金属シールド６が配置される。かかる構成により、無電極蛍光灯５から発するノイズが金属シールド６でシールドされ、内部搭載機器７に影響を及ぼすことを防止できる。
【００２９】
（実施の形態３）
図３は同独立電源照明装置の実施の形態３による照明装置の要部である。無電極蛍光灯５は、無電極蛍光灯ランプ部８と点灯をコントロールする無電極蛍光灯制御部９とで構成される。照明反射板１０は、無電極蛍光灯ランプ部８の上部に配置する。
【００３０】
上記構成によって、照明反射板１０は、四方八方に放射されている無電極蛍光灯ランプ部８の光のうち、照明に寄与しない方向の光を反射させて、照明用途方向に変える。これにより無電極蛍光灯ランプ部８から出る光を有効に照明用途に利用することができる。
【００３１】
また、無電極蛍光灯ランプ部８の点灯発熱により温度上昇した雰囲気空気が、無電極蛍光灯制御部９の雰囲気空気と対流により混ざるのを遮断するために、無電極蛍光灯ランプ部８と無電極蛍光灯制御部９との境界近傍に照明反射板１０を設けるとよい。この構成によって、照明反射板１０は熱遮断仕切り板として機能し、無電極蛍光灯ランプ部８で暖められた雰囲気空気が温度上昇して、無電極蛍光灯制御部９の内部部品の寿命を短くすることを防ぐことができる。
【００３２】
また、照明反射板１０を金属とすることにより、金属シールドとしての役目も果たすことができ、無電極蛍光灯ランプ部８から発生するノイズをシールドして、内部搭載電子機器７に影響を及ぼすことを防止できる。
【産業上の利用可能性】
【００３３】
独立電源照明装置に、無電極蛍光灯を採用することにより容易に、長寿命で明るい照明を提供することができる。
【図面の簡単な説明】
【００３４】
【図１】本発明の独立電源照明装置の実施の形態１を示す全体図
【図２】本発明の独立電源照明装置の実施の形態２の照明装置の要部を示す図（（ａ）斜視図、（ｂ）正面図）
【図３】本発明の独立電源照明装置の実施の形態３の照明装置の要部を示す正面図
【図４】従来の独立電源装置の斜視図
【符号の説明】
【００３５】
１    太陽光パネル
２    風車
３    蓄電池
４    照明装置
５    無電極蛍光灯
６    金属シールド
７    内部搭載電子機器
８    無電極蛍光灯ランプ部
９    無電極蛍光灯制御部
１０  照明反射板
【図１】
2007280660.tif 000003
【図２】
2007280660.tif 000004
【図３】
2007280660.tif 000005
【図４】
2007280660.tif 000006